(57)【要約】【課題】表示装置の映像を表示する遅延時間が長短しても、映像の表示開始タイミングと光シャッタの切替えタイミングとにズレが生じない３次元映像再生装置の提供。【解決手段】左目用及び右目用の左右の映像を交互に再生又は作成し、再生又は作成した左右の映像を表示装置６に交互に表示させると共に、交互に表示させるタイミング信号を作成する再生部２と、再生部２からのタイミング信号に基づき、右左の視界が遮蔽される光シャッタ３を有する眼鏡２ａとを備えた３次元映像再生装置。眼鏡２ａに設けられ、表示装置６が左右の映像をそれぞれ表示開始したタイミングを検出する検出手段４と、検出手段４が検出したタイミング、及び光シャッタ２ａの右左の視界がそれぞれ遮蔽開始されたタイミングの時間差を測定する測定手段（２ａ）と、その測定した時間差が０となるように、光シャッタ３の遮蔽開始タイミングを補正する補正手段（２ａ）とを備えている。【選択図】図１
2013229669.tif 000002
【特許請求の範囲】
【請求項１】
左目用及び右目用の左右の映像を交互に再生又は作成し、再生又は作成した左右の映像を表示装置に交互に表示させると共に、交互に表示させるタイミングを示すタイミング信号を作成する再生部と、該再生部からの前記タイミング信号に基づき、右左の視界が交互的に遮蔽される光シャッタを有する眼鏡とを備えた３次元映像再生装置において、
前記眼鏡に設けられ、前記表示装置が左右の映像をそれぞれ表示開始したタイミングを検出する検出手段と、該検出手段が検出したタイミング、及び前記光シャッタの右左の視界がそれぞれ遮蔽開始されたタイミングの時間差を測定する測定手段と、該測定手段が測定した時間差が０となるように、前記光シャッタの遮蔽開始タイミングを補正する補正手段とを備えることを特徴とする３次元映像再生装置。
【請求項２】
前記再生部が、前記補正手段を有している請求項１記載の３次元映像再生装置。
【請求項３】
前記再生部は、左右の映像として、三原色からそれぞれ所定の原色の映像を記憶する記憶手段を有し、前記検出手段は、前記表示装置が表示した映像を三原色に分光する分光手段を有し、前記記憶手段が記憶する映像を前記表示装置が表示している際に、前記検出手段は、前記分光手段が分光した三原色をそれぞれ検出し、検出した原色の強度に基づき左右の映像を識別するように構成してある請求項１又は２記載の３次元映像再生装置。
【請求項４】
前記検出手段は、前記映像の強度を検出し、前記眼鏡は、前記検出手段が検出した映像の強弱に応じて、前記光シャッタの遮蔽時間を長短に補正する手段を更に有する請求項１乃至３の何れか１項に記載の３次元映像再生装置。
【発明の詳細な説明】
【技術分野】
【０００１】
本発明は、左目用及び右目用の左右の映像を交互に再生又は作成し、再生又は作成した左右の映像を表示装置に交互に表示させる再生部と、再生部からのタイミング信号に基づき、右左の視界が交互的に遮蔽される光シャッタを有する眼鏡とを備えた３次元映像再生装置に関するものである。
【背景技術】
【０００２】
３Ｄ映像（３次元映像）を見る為の３次元映像再生装置としては、右目用の映像と左目用の映像とを撮影し、テレビジョン受像機側で表示するときに、右目用の映像は右目だけ、左目用の映像は左目だけに映るように制御する方式が一般的である。
放送されるside-by-side方式の３Ｄ映像は、テレビジョン受像機（以下、テレビと記載）の内部信号処理により映像を半分ずつに分割して、左目用／右目用を振り分けて作成し、更に、振り分けた映像を表示するタイミングに合わせて、眼鏡の光シャッタを開閉制御して３Ｄ映像を表示する。
【０００３】
ＤＶＤ等を再生する記録媒体再生装置に搭載されたチューナで受信した３Ｄ映像の放送番組を視聴する場合、再生装置側では３Ｄ映像としての特別な処理はせず、一般の放送と同様にＨＤＭＩ（High-Definition Multimedia Interface）等の伝送方式でテレビ側に送信し、上記と同様、テレビ側で映像分割及び眼鏡の開閉制御を行う。
ブルーレイディスク等の記録媒体を再生する場合は、Frame Packing方式が一般的であり、再生装置側はそのフォーマットに対応したものが必要となるが、再生装置だけでなく、その映像を視聴するテレビ側も、上記と同様に、３Ｄ映像として表示できるように対応されていることが必要である。
【０００４】
従って、３Ｄ映像を視聴するには、テレビ側が３Ｄ映像を視聴できる装置を備えている必要がある。
しかし、例えば、高価な大画面テレビを購入したユーザが、そのテレビでは３Ｄ映像が見られない場合、レコーダ側が、映像を半分ずつに分割して、左目用／右目用を振り分けて作成し、更に、振り分けた映像を表示するタイミングに合わせて、３Ｄ映像用の眼鏡を開閉制御できれば、レコーダを追加購入して、３Ｄ映像を視聴することが可能になる。
【０００５】
特許文献１には、一般に流通しているディスプレイ、即ち立体映像表示用に設計された特殊なディスプレイではないものと、電子シャッタ付き眼鏡とを組み合わせた立体映像表示システムが開示されている。ディスプレイに取付けられた判別マーク検出装置による検出結果に応じて、第１の観察方向と第２の観察方向との両方向について、ディスプレイからの光を透過させるためにシャッタ部を開くタイミングとしての開遅延時間、及び／又は、ディスプレイからの光を透過させる為にシャッタ部が開いている開時間を調整する開時間制御装置を備えている。
【先行技術文献】
【特許文献】
【０００６】
【特許文献１】特開２００９−３０２７７０号公報
【発明の概要】
【発明が解決しようとする課題】
【０００７】
従来の３次元映像再生装置では、特許文献１にも記載されているように、表示装置側へ入力された映像信号は、その表示装置の中で信号処理、情報演算などが行われるので、表示装置が、映像／音声信号が入力されてから、最終的に、映像表示／音声出力する迄に、遅延が発生するという問題がある。表示装置が変われば、その遅延時間は長短することから、映像を表示開始するタイミングと、光シャッタを切替えるタイミングとにズレが生じるので、使用する表示装置の条件に合わせてタイミングを調整する操作が必要となる。
【０００８】
本発明は、上述したような状況に鑑みてなされたものであり、表示装置が変わり、その映像を表示する遅延時間が長短しても、映像を表示開始するタイミングと光シャッタの切替えタイミングとにズレが生じない３次元映像再生装置を提供することを目的とする。
【課題を解決するための手段】
【０００９】
本発明に係る３次元映像再生装置は、左目用及び右目用の左右の映像を交互に再生又は作成し、再生又は作成した左右の映像を表示装置に交互に表示させると共に、交互に表示させるタイミングを示すタイミング信号を作成する再生部と、該再生部からの前記タイミング信号に基づき、右左の視界が交互的に遮蔽される光シャッタを有する眼鏡とを備えた３次元映像再生装置において、前記眼鏡に設けられ、前記表示装置が左右の映像をそれぞれ表示開始したタイミングを検出する検出手段と、該検出手段が検出したタイミング、及び前記光シャッタの右左の視界がそれぞれ遮蔽開始されたタイミングの時間差を測定する測定手段と、該測定手段が測定した時間差が０となるように、前記光シャッタの遮蔽開始タイミングを補正する補正手段とを備えることを特徴とする。
【００１０】
この３次元映像再生装置では、再生部が、左目用及び右目用の左右の映像を交互に再生又は作成し、再生又は作成した左右の映像を表示装置に交互に表示させると共に、交互に表示させるタイミングを示すタイミング信号を作成し、眼鏡が有する光シャッタが、再生部からのタイミング信号に基づき、右左の視界が交互的に遮蔽される。眼鏡に設けられた検出手段が、表示装置が左右の映像をそれぞれ表示開始したタイミングを検出し、測定手段が、検出手段が検出したタイミング、及び光シャッタの右左の視界がそれぞれ遮蔽開始されたタイミングの時間差を測定する。補正手段は、測定手段が測定した時間差が０となるように、光シャッタの遮蔽開始タイミングを補正する。
【００１１】
本発明に係る３次元映像再生装置は、前記再生部が、前記補正手段を有していることを特徴とする。
【００１２】
本発明に係る３次元映像再生装置は、前記再生部は、左右の映像として、三原色からそれぞれ所定の原色の映像を記憶する記憶手段を有し、前記検出手段は、前記表示装置が表示した映像を三原色に分光する分光手段を有し、前記記憶手段が記憶する映像を前記表示装置が表示している際に、前記検出手段は、前記分光手段が分光した三原色をそれぞれ検出し、検出した原色の強度に基づき左右の映像を識別するように構成してあることを特徴とする。
【００１３】
この３次元映像再生装置では、再生部の記憶手段が、左右の映像として、三原色からそれぞれ所定の原色の映像を記憶し、検出手段の分光手段が、表示装置が表示した映像を三原色に分光する。記憶手段が記憶する映像を表示装置が表示している際に、検出手段が、分光手段が分光した三原色をそれぞれ検出し、検出した原色の強度に基づき左右の映像を識別する。
【００１４】
本発明に係る３次元映像再生装置は、前記検出手段は、前記映像の強度を検出し、前記眼鏡は、前記検出手段が検出した映像の強弱に応じて、前記光シャッタの遮蔽時間を長短に補正する手段を更に有することを特徴とする。
【００１５】
この３次元映像再生装置では、検出手段が映像の強度を検出し、眼鏡は、検出手段が検出した映像の強弱に応じて、光シャッタの遮蔽時間を長短に補正する。
【発明の効果】
【００１６】
本発明に係る３次元映像再生装置によれば、表示装置が変わり、その映像を表示する遅延時間が長短しても、映像を表示開始するタイミングと光シャッタの切替えタイミングとにズレが生じない３次元映像再生装置を実現することができる。
【図面の簡単な説明】
【００１７】
【図１】本発明に係る３次元映像再生装置の実施の形態の概略構成を示すブロック図である。
【図２】３次元映像再生装置の内部構成例を示すブロック図である。
【図３】３次元映像再生装置の具体的な動作の例を示すフローチャートである。
【図４】３次元映像再生装置の動作を説明する為のタイミングチャートである。
【図５】３次元映像再生装置の動作を説明する為のタイミングチャートである。
【図６】光シャッタの閉動作タイミングと、映像表示装置の映像表示タイミングとの遅延時間を説明する為の説明図である。
【図７】光シャッタの閉動作タイミングと、映像表示装置の映像表示タイミングとの遅延時間を説明する為の説明図である。
【発明を実施するための形態】
【００１８】
以下に、本発明をその実施の形態を示す図面に基づき説明する。
図１は、本発明に係る３次元映像再生装置の実施の形態の概略構成を示すブロック図である。
この３次元映像再生装置１は、記録媒体の映像／音声情報を再生し、再生した映像／音声信号を、映像表示装置（表示装置）６へ映像／音声信号ケーブル５を通じて出力する３次元映像再生装置本体（再生部）２と、光シャッタ３及び光センサ（検出手段）４を有する３Ｄメガネ（眼鏡）２ａとを備えている。
【００１９】
３次元映像再生装置本体２は、また、チューナ１０（図２）を内蔵しており、受信したテレビジョン信号の３Ｄ映像を左右半分ずつに分割して、左目用／右目用を振り分けて作成し、作成した映像／音声信号を、映像表示装置６へ映像／音声信号ケーブル５を通じて出力する。尚、映像表示装置６は、３次元映像に対応する機能を有している必要はない。
【００２０】
図２は、３次元映像再生装置１の内部構成例を示すブロック図である。
３次元映像再生装置１は、メモリ８、信号処理部９、チューナ１０、映像／音声エンコーダ１１、映像／音声出力部１２、記録信号エンコーダ１３、記録信号デコーダ１４、光ディスクドライブ１５、メガネ制御信号送信部１６、光センサ情報受信部１７及び操作部１８が、バス１９に接続されており、バス１９を通じて制御部７からそれぞれ制御される。
【００２１】
メモリ８は、光シャッタ３の動作タイミングを補正する際に、映像表示装置６に表示する映像等を記憶している他、フレームメモリを備えている。光シャッタ３の動作タイミングを補正する際に、映像表示装置６に表示する映像は、左目用映像が画面全体が緑色の映像、右目用映像が画面全体が青色の映像である。
チューナ１０は、受信したテレビジョン信号を復調しメモリ８へ与える。
映像／音声エンコーダ１１は、メモリ８から読取られた映像／音声信号を、映像表示装置６用に変換して、映像／音声出力部１２から映像／音声信号ケーブル５に出力させる。
【００２２】
記録信号エンコーダ１３は、メモリ８から読取られた映像／音声信号をコード化して光ディスクドライブ１５へ与える。
記録信号デコーダ１４は、光ディスクドライブ１５が読込んだ映像／音声信号を復号しメモリ８へ与える。
メガネ制御信号送信部１６は、信号処理部９が作成した光シャッタ３を開閉する為のタイミング信号を、光シャッタ３へ無線通信により送信する。
光センサ情報受信部１７は、光センサ４が検出した映像表示装置６の左右の映像をそれぞれ表示開始したタイミングを、光センサ４から無線通信により受信し、バス１９を通じて制御部７へ与える。
【００２３】
以下に、このような構成の３次元映像再生装置１の動作を説明する。
３次元映像再生装置１は、光ディスク（記録媒体）から復元した映像／音声信号が、３Ｄ映像（３次元映像）であるとき、又は受信したテレビジョン信号が３Ｄ映像であるときは、３Ｄメガネ２ａへタイミング信号を出力しながら、映像表示装置６に出力する。
ユーザは、３Ｄ映像を視聴するときは、光シャッタ３を搭載した３Ｄメガネ２ａを装着する。３Ｄメガネ２ａは、３次元映像再生装置１が出力する左目用／右目用それぞれの映像信号のタイミングに合わせて、右目側／左目側の光シャッタ３を開閉制御する。
【００２４】
３次元映像再生装置本体２からは、映像／音声信号ケーブル５を通じて映像／音声信号を出力し、映像表示装置６へ伝送される。３次元映像再生装置本体２及び３Ｄメガネ２ａは、メガネ制御信号送信部１６及び光センサ情報受信部１７経由で双方向無線通信を用いて通信を行い、３Ｄメガネ２ａは、３次元映像再生装置本体２より光シャッタ３を制御するタイミング信号を受取り、右目用／左目用それぞれの光シャッタ３を駆動する。
３次元映像再生装置本体２は、右目用／左目用それぞれの映像出力タイミングに合わせて、３Ｄメガネ２ａへタイミング信号を送信し、３Ｄメガネ２ａは、映像表示装置６に表示される映像を、右目用／左目用それぞれのタイミングで通過／遮断制御することにより、ユーザに３Ｄ映像として視認させる。  
【００２５】
以下に、３次元映像再生装置１の具体的な動作の例を、それを示す図３のフローチャートを参照しながら説明する。
３次元映像再生装置本体２の制御部７は、先ず、光シャッタ３の開閉タイミングが調整されているか否かを、メモリ８の記憶内容（例えば、光シャッタ調整済フラッグ）に基づき判定する（Ｓ１）。
制御部７は、光シャッタ３の開閉タイミングが調整されていなければ（Ｓ１）、メモリ８から左目用映像の全面緑色映像を読取り、映像／音声エンコーダ１１及び映像／音声出力部１２経由で、映像表示装置６へ出力させる（Ｓ１９）。
【００２６】
映像表示装置６は、映像／音声信号ケーブル５経由で受信した全面緑色映像を、左目用映像として表示する。
３Ｄメガネ２ａの光センサ４は、映像表示装置６が全面緑色映像を表示開始したタイミングを検出し、その検出したタイミングを光センサ情報受信部１７経由で制御部７へ送信させる（Ｓ２１）。
光センサ４は、受光した映像を三原色に分光する手段（本実施の形態ではプリズム）を有しており、映像表示装置６が全面緑色映像を表示開始すると、光センサ４は、緑色光用のセンサのみ受光レベルが急上昇するので、左目用映像の表示が開始されたと認識可能である。
【００２７】
制御部７は、左目用映像の全面緑色映像を映像表示装置６へ出力したタイミング（Ｓ１９）と、光センサ４から受信したタイミング（Ｓ２１）との時間差（遅延時間）を算出（測定）し、右視界用シャッタの閉動作タイミングとしてメモリ８に記憶させておく（Ｓ２２）。
【００２８】
制御部７は、次の読取り周期（固定されている）で、メモリ８から右目用映像の全面青色映像を読取り、映像／音声エンコーダ１１及び映像／音声出力部１２経由で、映像表示装置６へ出力させる（Ｓ２３）。
映像表示装置６は、映像／音声信号ケーブル５経由で受信した全面青色映像を、右目用映像として表示する。
３Ｄメガネ２ａの光センサ４は、映像表示装置６が全面青色映像を表示開始したタイミングを検出し、その検出したタイミングを光センサ情報受信部１７経由で制御部７へ送信する（Ｓ２５）。
【００２９】
制御部７は、右目用映像の全面青色映像を映像表示装置６へ出力したタイミング（Ｓ２３）と、光センサ４から受信したタイミング（Ｓ２５）との時間差（遅延時間）を算出（測定）し、左視界用シャッタの閉動作タイミングとしてメモリ８に記憶させ、例えば、光シャッタ調整済フラッグを１にしておく（Ｓ２７）。次いで、制御部７は、光シャッタ３の開閉タイミングが調整されているか否かを、メモリ８の記憶内容（光シャッタ調整済フラッグ）に基づき判定する（Ｓ１）。
尚、上述した光シャッタ３の開閉タイミングを調整する動作（Ｓ１９〜Ｓ２７）は、操作部１８でのボタン操作によっても開始することができる。また、光シャッタ調整済フラッグは、例えば、映像／音声信号ケーブル５と映像表示装置６との接続がオフにされたときに、０にリセットされる。
【００３０】
制御部７は、光シャッタ３の開閉タイミングが調整されていれば（光シャッタ調整済フラッグが１であれば）（Ｓ１）、操作部１８で指定された光ディスクドライブ１５又はチューナ１０からの映像信号をメモリ８に読込ませる（Ｓ３）。
制御部７は、メモリ８に読込ませた映像信号（Ｓ３）が、３Ｄ映像であるか否かを判定し（Ｓ５）、３Ｄ映像でなければ、メモリ８から映像信号を読取って、映像／音声エンコーダ１１及び映像／音声出力部１２経由で、映像表示装置６へ出力させる（Ｓ１７）。この際、光シャッタ３を開閉する為のタイミング信号は出力させない（３Ｄメガネ２ａは不要）。
制御部７は、次いで、操作部１８で指定された光ディスクドライブ１５又はチューナ１０からの映像信号をメモリ８に読込ませる（Ｓ３）。
【００３１】
制御部７は、メモリ８に読込ませた映像信号（Ｓ３）が、３Ｄ映像であれば（Ｓ５）、その映像信号をメモリ８及び信号処理部９で左目用／右目用映像に復元又は作成させる（Ｓ７）。次いで、復元又は作成させた左目用／右目用映像をメモリ８から順次（交互に）読取って、映像／音声エンコーダ１１及び映像／音声出力部１２経由で、映像表示装置６へ出力させる（Ｓ９）。
【００３２】
制御部７は、順次読取った左目用／右目用映像を映像表示装置６へ出力させる（Ｓ９）際、メモリ８に記憶させている右視界用／左視界用シャッタの閉動作タイミングに基づき、タイミング信号の閉開始時点を調整制御する（Ｓ１１）。
制御部７は、次いで、光センサ４が検出した映像表示装置６の映像の強度を取得し（Ｓ１３）、取得した映像強度の強弱に応じて、タイミング信号のシャッタの閉時間（開時間）を長短（短長）に調整する（Ｓ１５）。
【００３３】
制御部７は、シャッタの閉時間（開時間）を長短（短長）に調整したタイミング信号（Ｓ１５）を、メガネ制御信号送信部１６経由で、光シャッタ３へ出力させる（Ｓ１６）。次いで、操作部１８で指定された光ディスクドライブ１５又はチューナ１０からの映像信号をメモリ８に読込ませる（Ｓ３）。
【００３４】
３次元映像再生装置１は、記録媒体（光ディスク）から映像／音声信号を復元して、外部に映像を出力する。しかし、例えば、３次元映像再生装置１が出力しようとする３Ｄ映像フォーマットが、１０８０ｉ（interlace）のSide-by-Side Half方式のとき、そのまま出力すると、３Ｄ映像を処理する機能を搭載していない映像表示装置６では、左右の映像が同時に表示されてしまう。
その為、３次元映像再生装置１から出力する際に、１フレーム毎に左目用、右目用交互の画となるような１０８０ｐ（progressive）の映像に復元し、３Ｄ映像を処理する機能を搭載していない映像表示装置６でも支障なく表示できる映像へと変換する。
【００３５】
図４，５は、３次元映像再生装置１の動作を説明する為のタイミングチャートである。
ここでは、ある時点の左目用映像の出力にて画面全体が緑色の映像（図４Ａ緑）、次の右目用映像の出力にて画面全体が青色の映像（図４Ａ青）、更に、次の左目用映像の出力は画面全体が緑色の映像（図４Ａ緑）、と交互に出力しながら、映像表示装置６の画面から３Ｄメガネ２ａに到達した光を検出して，３次元映像再生装置本体２に情報を送信する方法を例に挙げて説明する。
【００３６】
３次元映像再生装置本体２が、光ディスクドライブ１５から映像／音声信号を復元して外部に出力できる状態になる、又はチューナ１０がテレビジョン信号を映像／音声信号に復調して外部に出力できる状態になり、３次元映像再生装置本体２から映像表示装置６に向けて映像／音声信号を出力する（図４Ａ）。この時点をＴ10とする（図４）。
【００３７】
この映像／音声信号の出力タイミング（図４Ａ）と同期して、３次元映像再生装置本体２から３Ｄメガネ２ａに向けて、光シャッタ制御信号（タイミング信号）を送信する（図４Ｂ）。光シャッタ制御信号を受けた３Ｄメガネ２ａ側は、シャッタ制御信号に同期して、左右それぞれの光シャッタ３が開閉動作する（図４Ｂ）。この時点をＴ11とする（図４）。
尚、Ｔ10〜Ｔ11間の時間ｔ1 は、本３次元映像再生装置１内の処理により発生する遅延時間であり、映像表示装置６による影響は受けないことから、予め実測可能な不変の時間である。
【００３８】
３Ｄメガネ２ａの制御と並行して、３次元映像再生装置本体２より出力された映像／音声信号（図４Ａ）は、映像／音声信号ケ−ブル５を通じて映像表示装置６へ伝送される。映像表示装置６は、入力された映像／音声を画面に表示し（図４Ｃ）、また音声を再生する。この時点をＴ12とする（図４）。
尚、Ｔ10〜Ｔ12間の時間ｔ2 は、本３次元映像再生装置１から出力された信号が、映像表示装置６の内部で処理され表示される迄の時間であり、使用する映像表示装置６に依存する時間となる。
【００３９】
ユーザが、３Ｄメガネ２ａを装着して表示された映像を視聴するとき、映像表示装置６から出力された光が（図４Ｃ）、３Ｄメガネ２ａに搭載された光センサ４へ到達する。３Ｄメガネ２ａは、その光センサ４が検出した情報（図４Ｄ）を、３次元映像再生装置本体２側へ伝送する。この時点をＴ13とする（図４）。
尚、Ｔ12〜Ｔ13間の時間ｔ3 は、本３次元映像再生装置１と、付属する３Ｄメガネ２ａとの処理により発生する遅延時間であり、映像表示装置６の影響は受けないことから、予め実測可能な不変の時間である。また、Ｔ10〜Ｔ13間の時間をｔ4 とする。
【００４０】
時間ｔ2 を算出するには、信号を出力した時点Ｔ10（図４Ａ）から、実際に映像が表示されたときの変化を読み取った時点Ｔ13（図４Ｄ）迄の時間、即ち、時間ｔ4 （Ｔ10〜Ｔ13）を測定し、予め分かっている、３Ｄメガネ２ａ上の光センサ４が光を検出した情報が、３次元映像再生装置本体２に届く迄の遅延時間ｔ3 （Ｔ12〜Ｔ13）を差引くと、ｔ2 （Ｔ10〜Ｔ12）が算出できる。
【００４１】
３次元映像再生装置本体２から３Ｄメガネ２ａのシャッタ制御信号を送ってから（図４Ｂ）、実際に光シャッタ３が動作する迄にも時間遅延があることを考慮すると、映像の遅延に対する光シャッタ制御信号の調整量は、最終的に時間ｔ5 （Ｔ11〜Ｔ12）となり、ｔ4 （Ｔ10〜Ｔ13）から、不変の時間ｔ1 （Ｔ10〜Ｔ11）を差引くことで算出できる。
【００４２】
最終的に、３次元映像再生装置本体２から３Ｄメガネ２ａへ送信する光シャッタ制御信号の出力タイミングを、時間ｔ5 ずらす調整を行う（図５Ｂ）ことで、左目用映像が表示されるタイミング（図５Ｃ）に、３Ｄメガネ２ａの左目用の光シャッタ３の開動作（同時に右目用の光シャッタ３の閉動作）（図５Ｂ）を合わせることができる。
同様に、左目用の光シャッタ３の閉動作、及び右目用の光シャッタ３の開動作の遅延についても、図４Ａ青のＴ20から始まる一連の動作タイミングの計測により算出することが可能である。
【００４３】
また、最初に遅延時間を一度調整すれば、以降は調整が不要となる件について、以下に追記する。
映像表示装置６が変われば遅延時間は変わるが、例えば、映像／音声がコンポジット接続、コンポーネント接続、又はＨＤＭＩ接続等、一般的な手段で接続されており、その機器間での接続が同じ条件で継続されるときは、遅延時間は一定であるものと考える。
【００４４】
ここで、上記の光シャッタ３の閉動作タイミングと、映像表示装置６の映像表示タイミングとの遅延時間が一定の理由を、図６，７を参照しながら説明する。
例えば、映像の連続した３フレームについて、３次元映像再生装置本体２が、最初の１フレーム目の映像を出力した後、時間ａ後に２フレーム目を出力し、更に、時間ａ’後に３フレーム目の映像を出力したとき、通常は、図６に示すように、映像信号の周期は一定であり、ａ＝ａ’である。また、光センサ４の検出タイミングも、ｂ＝ｂ’である。
【００４５】
図７に示すように、映像表示装置６へ入力された映像信号（ａ＝ａ’）が、例えば、フレーム毎に処理時間が変わり、ｔ1 ≠ｔ2 ≠ｔ3 となったとき、ｂ≠ｂ’となるので、映像信号の周期が変わってしまい、映像が不自然になるので、一般的な映像表示装置６では、映像表示中に遅延時間が変化することが無いものと考えられる。
【００４６】
実際は、映像表示装置６によって遅延時間が異なっても、設置したときに、この遅延時間を最初に測定し、その値を遅延時間として常に利用することが可能である。
よって、設置時等に一度、映像表示装置６の遅延時間を測定し、その数値を記憶しておくことにより、その後は、映像表示装置６を換えたりしない限り、遅延時間を常に測定する必要はない。
（補足）通常は、映像表示装置６の１フレーム毎の表示タイミングは等間隔であり、左右何れか一方のタイミングを合わせれば、他方のタイミングは合わせる必要が無い。
【００４７】
尚、３Ｄメガネ２ａに付設されている光センサ４は、映像表示装置６から出力されて３Ｄメガネ２ａ側に届く光の強度及び色（分光する手段と赤緑青色用の３センサ）を検出できるものとする。但し、光センサ４が検出する情報は、映像表示装置６から届く光と共に、部屋の照明等の光も入るので、どちらの光か判別できない可能性がある。
【００４８】
これを避ける為に、例えば、初期設置中に遅延時間を測定するときには、３次元映像再生装置本体２が映像表示装置６へ出力する映像を、一般的な照明には使用されない色、例えば青色又は緑色にて出力し（図４，５Ａ緑青）、そのときの光センサ４の検出値（３センサの合計値）を情報ＬＡとする（図４，５Ｄ緑青）。また、映像を黒にして（図４，５Ａ）、映像表示装置６から光を出力しない状態（図４，５Ｃ）での光センサ４の検出値（３センサの合計値）（図４，５Ｄ）も取得し、そのときの検出値を情報ＬＢとする。次いで、情報ＬＡから情報ＬＢを差引くことにより（図４，５Ｅ）、映像表示装置６からの光を判別することが可能となる。
【００４９】
また、映像信号の任意の１フレームが、右目用なのか左目用なのかが識別できなくなり、右目用の映像フレームを表示している時に、右目用の光シャッタ３が閉じてしまう問題に対しても、映像表示装置６から出力する光の色を変更することが有効である。例えば、右目用の映像を出力するときは青色の映像とし、左目用の映像を出力するときは緑色の映像とすることで、光センサ４では、波長が異なるので混在しない別々の信号として検出できる。
【００５０】
これにより、光センサ４は、左目用／右目用それぞれの映像を容易に識別できるので、３次元映像再生装置本体２側が、左目用の映像に対しては右目用の光シャッタ３の閉動作タイミングを、右目用の映像に対しては左目用の光シャッタ３の閉動作タイミングを、それぞれ左右が逆にならないように調整することを可能にする。
【００５１】
３次元映像再生装置１では、視聴するときの映像表示装置６とユーザとの距離が違ったり、映像表示装置６の光源強度等、いろいろな要素が映像表示装置６により異なるので、３Ｄメガネ２ａ側に到達する光量には差異が生じる。しかし、例えば、光シャッタ３が開く時間を短くすることにより、映像表示装置６で発生する残像の影響を少なくして、３Ｄ映像をきれいに表示させることが可能なことは公知の事実である。
【００５２】
本発明に係る３次元映像再生装置１では、３Ｄメガネ２ａ側に光センサ４を設け、映像表示装置６から到達する光の強度を観測できるので、光シャッタ３が開く時間を短くする動作を、光センサ４からの情報と連動させることにより、光量が多いときには光シャッタ３が開く時間を短くして、見易い映像にすることができる。また、逆に、光量が少ないときは、左右の光シャッタ３が開く時間を長くして光量を稼ぎ、残像が増えることとのバランスを取りつつ、見易い映像にするなど、視聴する条件により自動的に最適な光シャッタ３の動作タイミングへと調整することができる。
【符号の説明】
【００５３】
１  ３次元映像再生装置
２  ３次元映像再生装置本体（再生部）
２ａ  ３Ｄメガネ（眼鏡）
３  光シャッタ
４  光センサ（検出手段）
５  映像／音声信号ケーブル
６  映像表示装置（表示装置）
７  制御部
８  メモリ
９  信号処理部
１０  チューナ
１１  映像／音声エンコーダ
１２  映像／音声出力部
１３  記録信号エンコーダ
１４  記録信号デコーダ
１５  光ディスクドライブ
１６  メガネ制御信号送信部
１７  光センサ情報受信部
【図１】
2013229669.tif 000003
【図２】
2013229669.tif 000004
【図３】
2013229669.tif 000005
【図４】
2013229669.tif 000006
【図５】
2013229669.tif 000007
【図６】
2013229669.tif 000008
【図７】
2013229669.tif 000009